(57)【特許請求の範囲】
【請求項１】
それぞれの第１のセルグループおよび第２のセルグループを備える、第１のネットワークノードおよび第２のネットワークノードとのデュアル接続性を有するユーザ機器（ＵＥ）によって実行されるワイヤレス通信の方法であって、前記方法が、
前記ＵＥで、前記第１のセルグループの第１のキャリアと前記第２のセルグループの第２のキャリアとの間のタイミング差を決定することと、ここにおいて、前記セルグループは、互いに異なる、
前記ＵＥで、前記タイミング差に従って前記ＵＥによって決定されたサブフレームの数によって、前記第１のキャリアまたは前記第２のキャリアの無線リソース構成に関して少なくとも１つの動作のタイミングをオフセットすることと
を備える、方法。
【請求項２】
前記少なくとも１つの動作が、前記第２のキャリア上の測定ギャップを実施することを備え、
前記タイミングをオフセットすることが、前記第１のキャリアの測定ギャップ構成に関して前記第２のキャリア上の前記測定ギャップをオフセットすることを備える、請求項１に記載の方法。
【請求項３】
前記測定ギャップをオフセットすることが、前記ＵＥのための最小ギャップ長に少なくとも部分的に基づく、請求項２に記載の方法。
【請求項４】
前記測定ギャップをオフセットすることは、前記第２のキャリア上の前記測定ギャップと前記第１のキャリア上の測定ギャップとが時間的に重複し、前記重複が前記ＵＥの最小ギャップ長を備えるように、前記第２のキャリア上の前記測定ギャップを整合させることを備える、請求項２に記載の方法。
【請求項５】
前記オフセットすることが前記ＵＥによって自律的に実行される、請求項１に記載の方法。
【請求項６】
前記第１のキャリアと前記第２のキャリアとの間の前記タイミング差を決定することが、
前記第１のキャリアおよび前記第２のキャリアのためのフレーム番号付けを備えるブロードキャスト情報を受信することと、
前記第１のキャリアおよび前記第２のキャリアのサブフレームタイミングを測定することと、
前記受信されたフレーム番号付けと前記測定されたサブフレームタイミングとに少なくとも部分的に基づいて前記タイミング差を識別することと
を備える、請求項１に記載の方法。
【請求項７】
前記第１のキャリアのための測定ギャップ構成を備えるブロードキャスト情報を受信することをさらに備え、ここにおいて、前記少なくとも１つの動作の前記タイミングをオフセットすることが、前記受信された測定ギャップ構成に少なくとも部分的に基づく、請求項１に記載の方法。
【請求項８】
前記第１のセルグループがマスタセルグループ（ＭＣＧ）を備え、前記第２のセルグループが２次セルグループ（ＳＣＧ）を備える、請求項１に記載の方法。
【請求項９】
前記動作が、前記第１のキャリア上の間欠受信（ＤＲＸ）動作を備え、
前記タイミングをオフセットすることは、前記ＤＲＸ動作に関して、無線周波数（ＲＦ）再同調がそれの中で実行されるサブフレームをオフセットすることを備える、請求項１に記載の方法。
【請求項１０】
それぞれの第１のセルグループおよび第２のセルグループを備える、第１のネットワークノードおよび第２のネットワークノードとのデュアル接続性ワイヤレス通信のために動作可能なユーザ機器（ＵＥ）であって、前記ＵＥが、
前記第１のセルグループの第１のキャリアと前記第２のセルグループの第２のキャリアとの間のタイミング差を決定するための手段と、ここにおいて、前記セルグループは、互いに異なる、
前記タイミング差に従って前記ＵＥによって決定されたサブフレームの数によって、前記第１のキャリアまたは前記第２のキャリアの無線リソース構成に関して少なくとも１つの動作のタイミングをオフセットするための手段と
を備える、ＵＥ。
【請求項１１】
コードを記憶するコンピュータ可読記憶媒体であって、前記コードがコンピュータに、請求項１〜９のいずれか一項にしたがった方法を実行させるように実行可能な命令を備える、コンピュータ可読記憶媒体。
【発明の詳細な説明】
【技術分野】
【０００１】
相互参照
[0001]本特許出願は、各々が本出願の譲受人に譲渡された、２０１５年５月７日に出願された、「UE Autonomous Radio Resource Configuration Extension」と題する、Ｋｉｔａｚｏｅらによる米国特許出願第１４／７０６，５４９号、および２０１４年５月９日に出願された、「UE Autonomous Radio Resource Configuration Extension」と題する、Ｋｉｔａｚｏｅらによる米国仮特許出願第６１／９９１，０９５号の優先権を主張する。
【背景技術】
【０００２】
[0002]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム、たとえば、ロングタームエボリューション（ＬＴＥ（登録商標））システムがある。
【０００３】
[0003]概して、ワイヤレス多元接続通信システムは、各々が複数のモバイルデバイスまたは他のユーザ機器（ＵＥ）デバイスのための通信を同時にサポートする、いくつかの基地局を含み得る。基地局は、ダウンストリームリンクおよびアップストリームリンク上でＵＥと通信し得る。各基地局は、セルのカバレージエリアと呼ばれることがあるカバレージエリアを有する。
【０００４】
[0004]ワイヤレス通信システムは、共通基地局からのいくつかのキャリアがＵＥをサービスするためにアグリゲートされる、キャリアアグリゲーションをサポートし得る。さらに、ワイヤレスシステムは、ＵＥが別個のキャリア上の２つの基地局との接続を同時に維持する、デュアル接続性をサポートし得る。デュアル接続性適用例では、異なる基地局に関連するキャリアは、非同期であり得る。
【発明の概要】
【０００５】
[0005]説明する特徴は、概して、ユーザ機器（ＵＥ）自律的無線リソース構成拡張のための１つまたは複数のシステム、方法、または装置に関する。本明細書で開示するように、ＵＥは、２つ（またはそれ以上）の基地局とのデュアル接続性において動作し得る。各基地局は、セルグループとして知られる、キャリアのセットを与え得、ＵＥは、各セルグループからの１つまたは複数のキャリアとの同時接続を有し得る。ＵＥは、それぞれのセルグループのキャリア間のタイミング差を自律的に決定し得、ＵＥは、その差を考慮するように、一方または両方のキャリアの無線リソース構成に関して動作のタイミングを調整し得る。いくつかの例では、ＵＥは、キャリア間の決定されたタイミング差を考慮するように、自律的に測定ギャップ動作を調整するか、または間欠受信（ＤＲＸ）動作を調整する。
【０００６】
[0006]それぞれの第１のセルグループおよび第２のセルグループを備える、第１のネットワークノードおよび第２のネットワークノードとのデュアル接続性を有するユーザ機器（ＵＥ）によって実行されるワイヤレス通信の方法について説明する。本方法は、第１のセルグループの第１のキャリアと第２のセルグループの第２のキャリアとの間のタイミング差を決定することと、タイミング差に少なくとも部分的に基づいて、第１のキャリアまたは第２のキャリアの無線リソース構成に関して少なくとも１つの動作のタイミングを調整することとを含み得る。
【０００７】
[0007]それぞれの第１のセルグループおよび第２のセルグループを含む、第１のネットワークノードおよび第２のネットワークノードとのデュアル接続性ワイヤレス通信のために動作可能な装置について説明する。本装置は、第１のセルグループの第１のキャリアと第２のセルグループの第２のキャリアとの間のタイミング差を決定するための手段と、タイミング差に少なくとも部分的に基づいて、第１のキャリアまたは第２のキャリアの無線リソース構成に関して少なくとも１つの動作のタイミングを調整するための手段とを含み得る。
【０００８】
[0008]それぞれの第１のセルグループおよび第２のセルグループを含む、第１のネットワークノードおよび第２のネットワークノードとのデュアル接続性ワイヤレス通信のために動作可能なさらなる装置について説明する。本装置は、少なくとも１つのプロセッサと、少なくとも１つのプロセッサと電子通信しているメモリと、メモリに記憶された命令とを含み得、命令は、少なくとも１つのプロセッサによって実行されたとき、本装置に、第１のセルグループの第１のキャリアと第２のセルグループの第２のキャリアとの間のタイミング差を決定することと、タイミング差に少なくとも部分的に基づいて、第１のキャリアまたは第２のキャリアの無線リソース構成に関して少なくとも１つの動作のタイミングを調整することとを行わせる。
【０００９】
[0009]それぞれの第１のセルグループおよび第２のセルグループを含む、第１のネットワークノードおよび第２のネットワークノードとのデュアル接続性を有するユーザ機器（ＵＥ）によって実行されるワイヤレス通信をサポートするコードを記憶する非一時的コンピュータ可読媒体について説明する。コードは、第１のセルグループの第１のキャリアと第２のセルグループの第２のキャリアとの間のタイミング差を決定することと、タイミング差に少なくとも部分的に基づいて、第１のキャリアまたは第２のキャリアの無線リソース構成に関して少なくとも１つの動作のタイミングを調整することとを行うように実行可能な命令を含み得る。
【００１０】
[0010]いくつかの例では、タイミングを調整することは、タイミング差に従って決定されたサブフレームの数によって、無線リソース構成に関して少なくとも１つの動作をオフセットすることを含む。いくつかの例では、少なくとも１つの動作は、第２のキャリア上の測定ギャップを実施することを含み、タイミングを調整することは、第１のキャリアの測定ギャップ構成に関して第２のキャリア上の測定ギャップをオフセットすることを含む。いくつかの例では、動作は、第１のキャリア上の間欠受信（ＤＲＸ）動作を含み、タイミングを調整することは、ＤＲＸ動作に関して、無線周波数（ＲＦ）再同調がそれの中で実行されるサブフレームをオフセットすることを含む。
【００１１】
[0011]上記で説明した方法、装置、または非一時的コンピュータ可読媒体のいくつかの例では、測定ギャップをオフセットすることが、最小ギャップ長に少なくとも部分的に基づく。追加または代替として、いくつかの例では、測定ギャップをオフセットすることは、第２のキャリア上の測定ギャップと第１のキャリア上の測定ギャップとが時間的に重複し、重複がＵＥの最小ギャップ長を含むように、第２のキャリア上の測定ギャップを整合させることを含む。
【００１２】
[0012]上記で説明した方法、装置、または非一時的コンピュータ可読媒体のいくつかの例では、調整することはＵＥによって自律的に実行される。いくつかの例では、第１のキャリアと第２のキャリアとの間のタイミング差を決定することは、第１のキャリアおよび第２のキャリアのためのフレーム番号付けを含むブロードキャスト情報を受信することと、第１のキャリアおよび第２のキャリアのサブフレームタイミングを測定することと、受信されたフレーム番号付けと測定されたサブフレームタイミングとに少なくとも部分的に基づいてタイミング差を識別することとを含む。
【００１３】
[0013]上記で説明した方法、装置、または非一時的コンピュータ可読媒体のいくつかの例は、第１のキャリアのための測定ギャップ構成を含むブロードキャスト情報を受信することをさらに含み得る。したがって、少なくとも１つの動作のタイミングを調整することは、受信された測定ギャップ構成に少なくとも部分的に基づき得る。いくつかの例では、第１のセルグループはマスタセルグループ（ＭＣＧ：master cell group）を含み、第２のセルグループは２次セルグループ（ＳＣＧ：secondary cell group）を含む。
【００１４】
[0014]説明する方法および装置の適用性のさらなる範囲は、以下の発明を実施するための形態、特許請求の範囲、および図面から明らかになろう。発明を実施するための形態の範囲内の様々な変更および改変が当業者に明らかになろうから、発明を実施するための形態および特定の例は例示として与えられるものにすぎない。
【００１５】
[0015]本発明の性質および利点のさらなる理解は、以下の図面を参照して実現され得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、説明は、第２の参照ラベルにかかわらず、同じ第１の参照ラベルを有する同様の構成要素のいずれにも適用可能である。
【図面の簡単な説明】
【００１６】
【図１】[0016]ワイヤレス通信システムの一例を示す図。
【図２】[0017]本開示による、デュアル接続性ＵＥの態様を示す図。
【図３Ａ】[0018]異なるセルグループのキャリア間のタイミング差の一例を示す図。
【図３Ｂ】[0019]ＵＥ無線リソース構成に関する測定ギャップ動作のタイミング調整の例を示す図。
【図３Ｃ】ＵＥ無線リソース構成に関する測定ギャップ動作のタイミング調整の例を示す図。
【図４Ａ】[0020]デュアル接続性ＵＥによって観測される、異なるセルグループのキャリア間のタイミング差の一例を示す図。
【図４Ｂ】[0021]ＵＥ無線リソース構成に関するＤＲＸ動作のタイミング調整の例を示す図。
【図４Ｃ】ＵＥ無線リソース構成に関するＤＲＸ動作のタイミング調整の例を示す図。
【図５】[0022]自律的タイミング調整のために構成されたデュアル接続性デバイスのブロック図。
【図６】[0023]自律的タイミング調整のために構成されたデュアル接続性デバイスのブロック図。
【図７】[0024]自律的タイミング調整のために構成されたデュアル接続性デバイスのブロック図。
【図８】[0025]ワイヤレス通信システムのブロック図。
【図９】[0026]本開示による、デュアル接続性ＵＥによって実行され得る方法を示すフローチャート。
【図１０】[0027]本開示による、デュアル接続性ＵＥによって実行され得る方法を示すフローチャート。
【図１１】[0028]本開示による、デュアル接続性ＵＥによって実行され得る方法を示すフローチャート。
【図１２】[0029]本開示による、デュアル接続性ＵＥによって実行され得る方法を示すフローチャート。
【図１３】[0030]本開示による、デュアル接続性ＵＥによって実行され得る方法を示すフローチャート。
【図１４】[0031]本開示による、デュアル接続性ＵＥによって実行され得る方法を示すフローチャート。
【発明を実施するための形態】
【００１７】
[0032]ユーザ機器（ＵＥ）は、対応する基地局とのデュアル接続性を有しながら、異なるセルグループのキャリア間のタイミング不整合について、自律的に識別し、調整するように構成され得る。セルグループ内のキャリアのタイミングは互いに同期させられ得るが、デュアル接続性実装形態では、基地局は互いに同期させられないことがある。しかしながら、本明細書で開示するように、無線インターフェースにおけるいくつかの動作は、異種セルグループからのアグリゲートされたキャリアの間の整合から恩恵を受ける。
【００１８】
[0033]たとえば、それは、測定ギャップ動作のためのデュアル接続性キャリア間のまたはそれらの間の整合のために有益であり得る。すなわち、場合によっては、他の周波数または無線アクセス技術（ＲＡＴ）のＵＥ測定のために最小離調持続時間（たとえば、５ｍｓ）を保証することが、有益である。追加または代替として、それは、間欠受信（ＤＲＸ）サイクルのオン持続時間（たとえば、アクティブ持続時間）中のデュアル接続性キャリア間のまたはそれらの間の整合のために有益であり得る。すなわち、いくつかの事例では、ＵＥの受信機がアクティブである時間を最小限に抑えることが有益であり、それは、異なるセルグループに関して受信に依然として適応しながら、電力消費を減少させ得る。
【００１９】
[0034]キャリアアグリゲーションの場合、タイミング整合問題は、所与の基地局のセルの間の同期により回避される。しかしながら、デュアル接続性において動作しているとき、ＵＥは、異なるネットワークノードのセル（またはセルグループ）の間のタイミング同期を仮定することができない。したがって、それのそれぞれのセルまたはセルグループのための無線リソース構成に従って動作することによって、デュアル接続性ＵＥは、たとえば、それのマスタセルグループの制御チャネルを受信することができず、したがってネットワークによって到達可能でない不整合グリッチを経験し得る。同様に、不整合は、デュアル接続性ＵＥが、競合する構成から生じる不十分な測定ギャップ持続時間により測定を実行することができない状況をもたらし得る。したがって、本明細書で説明するように、デュアル接続性において動作しているＵＥは、異なるセルグループのキャリア間のまたはそれらの間の不整合（たとえば、タイミング差）を決定し得、ＵＥは、タイミング差を考慮または補償するように、それの無線リソース構成に関して１つまたは複数の動作を自律的に調整し得る。
【００２０】
[0035]以下の説明は、例を与えるものであり、特許請求の範囲に記載される範囲、適用性、または構成を限定するものではない。本開示の範囲から逸脱することなく、説明する要素の機能および構成において変更が行われ得る。様々な例は、適宜に様々なプロシージャまたは構成要素を省略、置換、または追加し得る。たとえば、説明する方法は、説明する順序とは異なる順序で実行され得、様々なステップが追加、省略、または組み合わせられ得る。また、いくつかの例に関して説明する特徴は、他の例において組み合わせられ得る。
【００２１】
[0036]図１に、本開示の様々な態様による、ワイヤレス通信システム１００の一例を示す。ワイヤレス通信システム１００は、基地局１０５と、ユーザ機器（ＵＥ）１１５としても知られる通信デバイスと、コアネットワーク１３０とを含む。基地局１０５は、様々な例ではコアネットワーク１３０または基地局１０５の一部であり得る、基地局コントローラ（図示せず）の制御下でＵＥ１１５と通信し得る。基地局１０５は、バックホールリンク１３２を通じてコアネットワーク１３０と制御情報またはユーザデータを通信し得る。例では、基地局１０５は、ワイヤードまたはワイヤレス通信リンクであり得るバックホールリンク１３４を介して、直接的または間接的のいずれかで、互いに通信し得る。
【００２２】
[0037]ワイヤレス通信システム１００は、複数のキャリア（異なる周波数の波形信号）上での動作をサポートし得る。ワイヤレス通信リンク１２５は、様々な無線技術に従って変調され得る。各被変調信号は、制御情報（たとえば、基準信号、制御チャネルなど）、オーバーヘッド情報、データなどを搬送し得る。キャリアの特定の組合せは、ＵＥ１１５が機能する様式を規定し得る。以下で説明するように、ＵＥ１１５は、異なるセルグループをサポートする基地局１０５によってサービスされ得る。したがって、ＵＥ１１５は、非同期であり得る異なるセルグループのキャリア上で同時に通信し得る。したがって、いくつかの例では、ＵＥ１１５は、キャリア間のタイミング差を決定し、それぞれのキャリアまたはセルグループの無線リソース構成に関して１つまたは複数の動作を調整する。
【００２３】
[0038]基地局１０５は、１つまたは複数の基地局アンテナを介してＵＥ１１５とワイヤレス通信し得る。基地局１０５サイトの各々は、それぞれの地理的エリア１１０に通信カバレージを与え得る。いくつかの実施形態では、基地局１０５は、基地トランシーバ局、無線基地局、アクセスポイント、無線トランシーバ、基本サービスセット（ＢＳＳ）、拡張サービスセット（ＥＳＳ）、ノードＢ、発展型ノードＢ（ｅＮＢ）、ホームノードＢ、ホームｅノードＢ、または何らかの他の好適な用語で呼ばれることもある。基地局のためのカバレージエリア１１０は、カバレージエリアの一部分のみを構成するセクタ（図示せず）に分割され得る。ワイヤレス通信システム１００は、異なるタイプの基地局１０５（たとえば、マクロ基地局、マイクロ基地局、またはピコ基地局）を含み得る。異なる技術のための重複するカバレージエリアがあり得る。
【００２４】
[0039]ワイヤレス通信システム１００は、異なるタイプの基地局が様々な地理的領域にカバレージを与える、異種ロングタームエボリューション（ＬＴＥ）／ＬＴＥ−Ａネットワークであり得る。たとえば、各基地局１０５は、通信カバレージをマクロセル、ピコセル、フェムトセル、または他のタイプのセルに与え得る。マクロセルは、概して、比較的大きい地理的エリア（たとえば、半径数キロメートル）をカバーし、サービスに加入しているＵＥによるネットワークプロバイダとの無制限アクセスを可能にし得る。ピコセルは、概して、比較的小さい地理的エリアをカバーすることになり、サービスに加入しているＵＥによるネットワークプロバイダとの無制限アクセスを可能にし得る。また、フェムトセルは、概して、比較的小さい地理的エリア（たとえば、自宅）をカバーすることになり、無制限アクセスに加えて、フェムトセルとの関連を有するＵＥによる制限付きアクセスをも与え得る。
【００２５】
[0040]コアネットワーク１３０は、バックホール１３２（たとえば、Ｓ１など）を介して基地局１０５と通信し得る。基地局１０５はまた、バックホールリンク１３４（たとえば、Ｘ２など）を介してまたはバックホールリンク１３２を介して（たとえば、コアネットワーク１３０を通して）直接または間接的に、互いと通信し得る。ワイヤレス通信システム１００は、同期動作または非同期動作をサポートし得る。同期動作の場合、基地局は同様のフレームタイミングを有し得、異なる基地局からの送信は近似的に時間的に整合され得る。非同期動作の場合、基地局１０５は異なるフレームタイミングを有し得、異なる基地局からの送信は時間的に整合されないことがある。デュアル接続性構成では、ＵＥは、ベースバンドユニット（ＢＢＵ）を構成し、１つまたは複数のリモートラジオヘッド（ＲＲＨ）をそれぞれ有し得る、異なる基地局からサービスされ得る。そのような構成では、異なるＢＢＵ（たとえば、基地局１０５）は、バックホールリンク１３４を介して互いに直接通信し得るが、ＢＢＵ間のバックホールは、理想的でないことがあり、ＢＢＵが情報（たとえば、同期またはタイミング情報）を共有し得る効率を制限し得る。ＵＥ１１５は、したがって、異なるＢＢＵの基地局１０５からの非同期キャリアを考慮するように構成され得る。
【００２６】
[0041]ＵＥ１１５は、ワイヤレス通信システム１００全体にわたって分散され得、各ＵＥは固定式または移動可能であり得る。ＵＥ１１５は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、ピコｅＮＢ、フェムトｅＮＢ、リレーなどと通信することが可能であり得る。
【００２７】
[0042]通信システム１００に示されたワイヤレス通信リンク１２５は、ＵＥ１１５から基地局１０５へのアップリンク（ＵＬ）送信、またはダウンリンク（ＤＬ）キャリアを介した基地局１０５からＵＥ１１５へのＤＬ送信を含み得る。ダウンリンク送信は順方向リンク送信と呼ばれることもあり、アップリンク送信は逆方向リンク送信と呼ばれることもある。通信リンク１２５は、（たとえば、対スペクトルリソースを使用する）ＦＤＤまたは（たとえば、不対スペクトルリソースを使用する）ＴＤＤ動作を使用して、双方向通信を送信し得る。ＦＤＤのためのフレーム構造（たとえば、フレーム構造タイプ１）およびＴＤＤのためのフレーム構造（たとえば、フレーム構造タイプ２）が定義され得る。以下でより詳細に説明するように、異なるキャリアのタイミングは、ＵＥ１１５が、時間的に不整合であるフレーム（およびサブフレーム）を有するキャリアを受信し得るようなタイミングであり得る。したがって、ＵＥ１１５は、測定ギャップ生成または間欠受信（ＤＲＸ）動作を含む、動作のタイミングを調整し得る。これらの調整は、受信されたキャリアのタイミング差に従って、ＵＥ１１５によって、決定されたサブフレームの数によって、無線リソース構成に関して動作をオフセット（たとえば、拡張）することを含み得る。
【００２８】
[0043]図２に、本開示の様々な態様による、自律的無線リソース構成拡張が可能な１つまたは複数のＵＥ１１５を用いたワイヤレス通信システム２００の一例を示す。ワイヤレス通信システム２００は、図１のワイヤレス通信システム１００の態様の一例であり得る。ワイヤレス通信システム２００は、マスタセルグループ（ＭＣＧ）に関連し得る、基地局１０５−ａ（たとえば、ネットワークノード）と、２次セルグループ（ＳＣＧ）に関連し得る、基地局１０５−ｂ（たとえば、ネットワークノード）とを含む。基地局１０５−ａは、たとえば、ＬＴＥマクロセルであり得、基地局１０５−ｂは、ＬＴＥピコセル、ＲＲＨなどであり得る。基地局１０５の各々は、独立したスケジューラ（図示せず）を有し得、各基地局１０５は、それぞれのカバレージエリア１１０を有し得る。ＭＣＧは、１次セル（たとえば、１次コンポーネントキャリア（ＰＣＣ）、ＰＣｅｌｌなど）を含む（キャリアグループとも呼ばれる）セルグループであり得る。ＳＣＧは、ＰＣｅｌｌを含まないセルグループであり得るが、物理アップリンク制御チャネル（ＰＵＣＣＨ）対応２次セル（ＳＣｅｌｌ）で構成され得る。各グループ内のキャリアは、互いに同期させられ得る。たとえば、ＭＣＧ内の各キャリアは、ＭＣＧの他のキャリアと同期させられ得、ＳＣＧ内の各キャリアは、ＳＣＧの他のキャリアと同期させられ得る。ＭＣＧのキャリアは、しかしながら、ＳＣＧのキャリアに関して非同期であり得る。
【００２９】
[0044]基地局１０５−ａ、１０５−ｂは、理想的でないバックホールリンク１３４−ａを介して互いに通信していることがある。したがって、接続モードＵＥがマスタセルグループと２次セルグループの両方からの無線リソースを消費するが、基地局１０５がそれらの共同セルまたはセルグループ間の同期を維持するという要件はない。これは、同期が特定の基地局のセルの間で維持されるキャリアアグリゲーションとは異なる。理想的でないバックホールおよび別個のスケジューラの存在は、たとえば、ＭＣＧ（たとえば、基地局１０５−ａに関連するキャリア）のセルとＳＣＧ（たとえば、基地局１０５−ｂに関連するキャリア）のセルとに関連するそれぞれの無線リソース構成と、デュアル接続性ＵＥをサービスする別の基地局の動作に適応するようにデュアル接続性ＵＥをサービスするある基地局の能力とに関して、他の影響をも有し得る。
【００３０】
[0045]ＵＥ１１５−ａは、たとえば、基地局１０５−ａ、１０５−ｂとのデュアル接続性を有し得、したがって、ＭＣＧのキャリア２２５−ａおよびＳＣＧのキャリア２２５−ｂを介して通信していることがある。ＵＥ１１５−ａは、ＭＣＧのキャリア２２５−ａとＳＣＧのキャリア２２５−ｂとの間のタイミング差を決定し得る。ＵＥ１１５は、したがって、全体的にまたは部分的に、決定されたタイミング差に基づいて、キャリア２２５−ａまたはキャリア２２５−ｂの無線リソース構成に関して動作のタイミングを調整し得る。いくつかの例では、ＵＥ１１５は、キャリア（たとえば、ＭＣＧまたはＳＣＧのキャリア）上の測定ギャップを実施し得る。いくつかの例では、タイミングを調整することは、無線リソース構成に関して動作をオフセットすること（たとえば、測定ギャップを調整すること、ＤＲＸ動作を変更することなど）を含み、ここで、オフセットすることは、タイミング差に従って決定されたサブフレームの数によるものであり得る。
【００３１】
[0046]キャリア２２５−ａ、２２５−ｂ間のタイミング差を決定するために、ＵＥ１１５−ａは、キャリア２２５−ａ、２２５−ｂの各々を介して、フレーム番号付けを含む、ブロードキャスト情報を受信し得る。ＵＥ１１５−ａは、それぞれキャリア２２５−ａ、２５５−ｂのサブフレームタイミングを測定し得る。次いで、受信されたフレーム番号付けおよび測定されたサブフレームタイミングに基づいて、ＵＥ１１５−ａは、キャリア２２５−ａ、２２５−ｂ間のタイミング差を識別し得る。
【００３２】
[0047]次に図３Ａを参照すると、デュアル接続性設定における異なるセルグループのキャリアの無線リソース構成間のタイミング差の一例３００−ａが示されている。この例では、構成された測定ギャップ３２２は、図示のように、第１のセルグループ（たとえば、ＭＣＧ）のキャリア３０５のためのサブフレームタイミングと、第２のセルグループ（たとえば、ＳＣＧ）のキャリア３１０のためのサブフレームタイミングとにおける差により、キャリア間で整合しない。各キャリアの５つのフレーム３１５が示されているが、キャリアの無線リソース構成を完成させるための一般的な適用可能性を、当業者は認識されよう。各フレーム３１５は、１ｍｓ持続時間の１０個のサブフレーム３２０からなる。
【００３３】
[0048]デュアル接続性設定における基地局１０５（図１および図２）は、場合によっては、それらのそれぞれのキャリア間のいくつかのタイミング差を識別することが可能であり得る。しかし、説明したように、異なる基地局のキャリア（たとえば、フレーム／サブフレームタイミング）またはセルグループの不整合により、デュアル接続性ＵＥがそれのＲＲＣ構成に従って動作することに、困難が発生し、生じ得る。ここで、構成された測定ギャップパターン３２２は、サブフレームタイミングに基づき得、本例に示されているように、キャリア３０５、３１０間のフレーム／サブフレームの不整合は、測定ギャップパターン３２２の不整合を生じ得る。
【００３４】
[0049]上述のように、測定ギャップは、ＵＥ１１５が、他の周波数または他のＲＡＴの測定を実行するためにそれのサービングキャリアの周波数からその間離調し得る持続時間である。ＵＥ１１５は、セルグループのキャリア上で測定ギャップを実施し得る。最小測定ギャップ長（または持続時間）は、ＵＥが、離調し、測定値を収集し、それのサービングセルに戻ることを可能にするように定義され得る。ＬＴＥシステムでは、６ｍｓの最小測定ギャップが使用され得、それは、ＵＥ１１５が、他の周波数またはＲＡＴの測定を実行するために、サービングＬＴＥリンク（たとえば、キャリア）から離調するための少なくとも５ｍｓを与える。残りの１ｍｓは、ＵＥ１１５の無線周波数（ＲＦ）成分を再同調させること、たとえば、サービングリンクに戻ることのために使用され得る。しかしながら、例３００−ａに示されているように、第１のセルグループのサブフレームタイミング３０５と第２のセルグループのサブフレームタイミング３１０との間の差により、ＵＥ１１５が６ｍｓの最小ＬＴＥ測定ギャップ持続時間を確保することは、可能でないことがある。すなわち、図示のように、それぞれのキャリアグループの測定ギャップパターン３２２が重複する時間期間は、６ｍｓよりも小さい。
【００３５】
[0050]フレーム／サブフレームタイミングにおけるこの不整合に対処するために、ＵＥ１１５は、それぞれのセルグループのキャリア間のタイミング差を決定し得、ＵＥ１１５は、一方または両方のキャリアの無線リソース構成に関して動作のタイミングを調整し得る。たとえば、ＵＥ１１５は、拡張されたギャップが他のセルグループの測定ギャップを完全にカバーし、したがって、最小測定ギャップ持続時間の利用可能性を保証するように、ＭＣＧまたはＳＣＧのいずれか、あるいは両方の測定ギャップ３２２を自律的に拡張し得る。
【００３６】
[0051]図３Ｂおよび図３Ｃに、デュアル接続性ＵＥの無線リソース構成に関する（１つまたは複数の）測定ギャップ動作の（１つまたは複数の）タイミング調整の例３００−ｂ、３００−ｃを示す。ＵＥ１１５は、それのＲＲＣ構成に従って、１つまたは複数のサービングキャリア上の測定ギャップまたは測定ギャップパターン３２２−ａを決定し得る。図示のように、ＵＥ１１５は、たとえば、３２５において、対応する無線リソース構成、たとえば、第２のセルグループのサブフレームタイミング３１０−ａの測定ギャップ構成３２２−ａに関して測定ギャップを拡張することによって、測定ギャップのタイミングを自律的に調整し得る。追加または代替として、ＵＥ１１５は、３３０において、対応する無線リソース構成、たとえば、第１のセルグループのための測定ギャップのサブフレームタイミング３０５−ｂの測定ギャップ構成３２２−ａに関して測定ギャップを拡張し得る。
【００３７】
[0052]いくつかの例では、測定ギャップを拡張することは、ＵＥ１１５のための最小ギャップ長（たとえば、６ｍｓ）に、完全にまたは部分的に基づき得る。図３Ｃに示されているように、たとえば、測定ギャップは、１つのサブフレーム３２０−ａだけ、したがって、１ｍｓだけ拡張され得る。例３００−ｂおよび３００−ｃに示されているように、測定ギャップを拡張することは、第１のキャリア上の測定ギャップと第２のキャリア上の測定ギャップが時間的に重複するように、第１のキャリアまたは第２のキャリア上の測定ギャップを拡張することを含み得る。この重複は、ＵＥ１１５が測定値を収集するための最小ギャップ長を含み得る。いくつかの例では、ＵＥ１１５−ａ（図２）は、基地局１０５−ａまたは基地局１０５−ｂにギャップ長拡張を報告し得る。報告されたギャップ長拡張は、ＵＥ決定されたタイミング差に基づき得、それは、測定ギャップのために利用されるサブフレームの数を示し得る。いずれかまたは両方の基地局１０５は、利用可能な送信（たとえば、ＤＬ送信）のために失われたサブフレームの数を識別するかまたは決定するために、報告に依拠し得る。
【００３８】
[0053]次に、図４Ａに、デュアル接続性設定における異なるセルグループのキャリア間のタイミング差のさらなる例４００−ａを示す。この例は、デュアル接続性ＵＥの構成されたＤＲＸ動作に関連するタイミング差を示す。図３Ａの場合と同様に、第１のセルグループ（たとえば、ＭＣＧ）のためのサブフレームタイミング４０５および第２のセルグループ（たとえば、ＳＣＧ）のためのサブフレームタイミング４１０が示されている。各キャリアの無線フレーム４１５の部分が示されているが、デュアル接続性ＵＥのより広い無線リソース構成への一般的な適用可能性を、当業者は認識されよう。各フレーム４１５は、１ｍｓ持続時間の１０個のサブフレーム４２０からなり、図示のように、対応するシステムフレーム番号（ＳＦＮ）によって識別され得る。
【００３９】
[0054]第１および第２のキャリアのための間欠受信（ＤＲＸ）動作が示されている。ＤＲＸオン持続時間（たとえば、アクティブＤＲＸ持続時間）４３５は、いくつかのサブフレーム（たとえば、４つのサブフレームまたは４ｍｓ）である。アクティブＤＲＸ持続時間において、ＵＥ１１５は、（１つまたは複数の）サービング基地局からの物理ダウンリンク制御チャネル（ＰＤＣＣＨ）を監視する。ＵＥ電力消費を最適化する目的で、ＭＣＧおよびＳＣＧのオン持続時間をできる限り整合させることが有益であり得る。しかし、上記で説明したように、リンクタイミングを完全に整合させることは可能でないことがあり、したがって、異なるセルグループにおいてオン持続時間を完全に整合させることは可能でないことがある。
【００４０】
[0055]ＵＥ１１５がそれのＤＲＸ構成に従うにすぎない場合、あるセルグループのためのＲＦ再同調４４０は、別のセルグループのオン持続時間に影響を及ぼし得る。例４００−ａは、ＳＣＧサブフレームタイミング４１０オン持続時間のためのＲＦ再同調４４０がＭＣＧオン持続時間において「グリッチ」４４５−ａを生じる状況を示している。すなわち、ＵＥ１１５は、４４０において、あるキャリア上で別のキャリアのＤＲＸオン持続時間中に再同調し得るので、ＵＥ１１５は、いずれかのキャリアのための完全なＤＲＸオン持続時間のためにＤＲＸ構成に完全に関与するとは限らない。言い換えれば、一方のキャリア上の再同調４４０は、他方のキャリアのＤＲＸオン持続時間を短く切断する。ＭＣＧオン持続時間におけるこの「グリッチ」４４５−ａは、ＵＥ１１５がＭＣＧからＰＤＣＣＨを受信することをできなくし得、これは、ＵＥ１１５をネットワークによって到達不可能にし得る。同様に、再同調は、ＳＣＧオン持続時間において「グリッチ」４４５−ｂを生じ得る。
【００４１】
[0056]図４Ｂおよび図４Ｃに、デュアル接続性ＵＥの無線リソース構成に関する（１つまたは複数の）ＤＲＸ動作の１つまたは複数のタイミング調整の例４００−ｂ、４００−ｃを示す。異なるサブフレームタイミングによるグリッチの可能性が検出されたとき、ＵＥ１１５は、４５０において、キャリア４０５−ａ、４１０−ａのためのＤＲＸ動作のサブフレームタイミングについて示されているような、それらの対応する無線リソース構成に関してキャリアの一方または両方のためのアクティブＤＲＸ持続時間を拡張し得る。いくつかの例では、アクティブＤＲＸ持続時間を拡張することは、少なくとも構成されたオン持続時間のために１つまたは複数のキャリア上での制御チャネル受信に適応することを含み、ＵＥによって自律的に実行され得る。たとえば、再同調４４０は、両方のキャリアの完全なＤＲＸオン持続時間４３５−ａ、４３５−ｂに適応するようにスケジュールされる。
【００４２】
[0057]いくつかの例では、ＵＥ１１５は、４５５において、１つまたは複数のセルグループのアクティビティに基づいて無線周波数（ＲＦ）再同調４４０がそれの中で実行され得るサブフレームをオフセットすることによって、タイミングを自律的に調整し得る。４５５においてサブフレームをオフセットすることは、キャリア上のアクティブＤＲＸ持続時間４３５−ｃ中の受信に適応することを含み得る。たとえば、ＳＣＧ４１０−ｂのＳＦＮ１０１における再同調４４０は、４５５において、ＭＣＧ４０５−ｂのＤＲＸオン持続時間４３５−ｃ中のＭＣＧ４０５−ｂ上での制御チャネル受信に適応するためにオフセットされ得る。
【００４３】
[0058]次に、図５に、それのそれぞれの基地局のキャリアまたはセルグループ間のタイミング差に基づくＲＲＣ構成された動作の自律的タイミング調整のために構成されたＵＥ１１５−ｂのブロック図５００を示す。ＵＥ１１５−ｂは、図１〜図４を参照しながら説明したＵＥ１１５の１つまたは複数の態様の一例であり得る。ＵＥ１１５−ｂは、受信機５０５と、タイミングモジュール５１０と、送信機５１５とを含み得る。ＵＥ１１５−ｂはプロセッサをも含み得る。これらの構成要素の各々は互いに通信していることがある。
【００４４】
[0059]ＵＥ１１５−ｂの構成要素は、個別にまたは集合的に、ハードウェア中の本明細書で説明する機能の一部または全部を実行するように適応された１つまたは複数の特定用途向け集積回路（ＡＳＩＣ）を用いて実装され得る。代替的に、それらの機能は、１つまたは複数の他の処理ユニット（またはコア）によって、１つまたは複数のＩＣ上で実行され得る。他の例では、当技術分野で知られている任意の様式でプログラムされるかまたは構成され得る、他のタイプの集積回路（たとえば、ストラクチャード／プラットフォームＡＳＩＣ、フィールドプログラマブルゲートアレイ（ＦＰＧＡ）、または別のセミカスタムＩＣ）が使用され得る。各ユニットの機能はまた、全体的または部分的に、１つまたは複数の汎用または特定用途向けプロセッサによって実行されるようにフォーマットされた、メモリに組み込まれた命令を用いて実装され得る。
【００４５】
[0060]受信機５０５は、パケット、ユーザデータ、または様々な情報チャネル（たとえば、制御チャネル、データチャネルなど）に関連付けられた制御情報などの情報を受信するように構成され得る。受信された情報は、タイミングモジュール５１０上に、およびＵＥ１１５−ｂの他の構成要素に受け渡され得る。いくつかの例では、受信機５０５は、１つまたは複数のキャリアを介して、フレーム番号付けを含む、ブロードキャスト情報を受信するように構成され得る。
【００４６】
[0061]タイミングモジュール５１０は、第１のセルグループの第１のキャリアと第２のセルグループの第２のキャリアとの間のタイミング差を決定するように構成され得る。タイミングモジュール５１０はまた、完全にまたは部分的に、決定されたタイミング差に基づいて、第１のキャリアまたは第２のキャリアの無線リソース構成に関して１つまたは複数の動作のタイミングを調整するように構成され得る。
【００４７】
[0062]送信機５１５は、ＵＥ１１５−ｂの他の構成要素から受信された１つまたは複数の信号を送信するように構成され得る。いくつかの態様では、送信機５１５は、トランシーバモジュール中で受信機５０５とコロケートされ得る。送信機５１５は単一のアンテナを含み得るか、またはそれは複数のアンテナを含み得る。いくつかの例では、送信機５１５は、基地局にギャップ長拡張を報告するように構成され得、ここで、ギャップ長拡張は、キャリア間の決定されたタイミング差に基づき、測定ギャップのために利用されるサブフレームの数を示し得る。場合によっては、送信機５１５は、基地局に、サブフレームタイミング差または測定ギャップ調整の指示を送り得る。
【００４８】
[0063]図６に、デュアル接続性動作をサポートする自律的タイミング調整のために構成されたＵＥ１１５−ｃのブロック図６００を示す。ＵＥ１１５−ｃは、図１〜図５を参照しながら説明したＵＥ１１５の１つまたは複数の態様の一例であり得る。ＵＥ１１５−ｃは、受信機５０５−ａ、タイミングモジュール５１０−ａ、または送信機５１５−ａを含み得る。ＵＥ１１５−ｃはプロセッサをも含み得る。これらの構成要素の各々は、互いに通信していることがあり、各々は、図５を参照しながら説明した対応するモジュールの例であり得る。タイミングモジュール５１０−ａは、差決定モジュール６０５と、タイミング調整モジュール６１０とをも含み得る。
【００４９】
[0064]ＵＥ１１５−ｃの構成要素は、個別にまたは集合的に、ハードウェア中の本明細書で説明する機能の一部または全部を実行するように適応された１つまたは複数のＡＳＩＣを用いて実装され得る。代替的に、それらの機能は、１つまたは複数の他の処理ユニット（またはコア）によって、１つまたは複数のＩＣ上で実行され得る。他の例では、当技術分野で知られている任意の様式でプログラムされ得る他のタイプの集積回路（たとえば、ストラクチャード／プラットフォームＡＳＩＣ、ＦＰＧＡ、または別のセミカスタムＩＣ）が使用され得る。各ユニットの機能はまた、全体的または部分的に、１つまたは複数の汎用または特定用途向けプロセッサによって実行されるようにフォーマットされた、メモリに組み込まれた命令を用いて実装され得る。
【００５０】
[0065]受信機５０５−ａは、タイミングモジュール５１０−ａ上に、およびＵＥ１１５−ｃの他の構成要素に受け渡され得る情報を受信するように構成され得る。タイミングモジュール５１０−ａは、図５を参照しながら上記で説明した動作を実行するように構成され得る。送信機５１５−ａは、ＵＥ１１５−ｃの他の構成要素から受信された１つまたは複数の信号を送信するように構成され得る。
【００５１】
[0066]差決定モジュール６０５は、第１のセルグループの第１のキャリアと第２のセルグループの第２のキャリアとの間のタイミング差を決定するように構成され得る。たとえば、ＭＣＧのキャリアおよびＳＣＧのキャリアとのデュアル接続性を有するＵＥ１１５−ｃの場合、差決定モジュール６０５は、上記で説明したように２つのキャリア間のタイミング差を決定するように構成され得る。場合によっては、タイミング差は、ブロードキャスト情報に基づいて決定され得る。
【００５２】
[0067]タイミング調整モジュール６１０は、第１のセルグループの第１のキャリアまたは第２のセルグループの第２のキャリアの無線リソース構成に関して１つまたは複数の動作のタイミングを調整するように構成され得、ここで、調整は、ある程度まで、決定されたタイミング差に基づき得る。たとえば、測定ギャップ、ＤＲＸオン持続時間、ＲＦ再同調、または他の動作のタイミングは、ＲＲＣ構成に関して調整され得る。タイミングを調整することは、タイミング差に従って決定されたサブフレームの数によって、無線リソース構成に関して動作をオフセットすることを含み得る。いくつかの例では、調整することまたはオフセットすることは、ＵＥ１１５−ｃによって自律的に実行され得、たとえば、ＵＥ１１５−ｃは、ネットワークからの特定の指示なしに調整を実行し得る。
【００５３】
[0068]図７に、本開示の様々な態様による、自律的無線リソース構成拡張のために構成されたタイミングモジュール５１０−ｂのブロック図７００を示す。タイミングモジュール５１０−ｂは、図５および図６を参照しながら説明したタイミングモジュール５１０の１つまたは複数の態様の一例であり得る。タイミングモジュール５１０−ｂは、差決定モジュール６０５−ａと、タイミング調整モジュール６１０−ａとを含み得る。これらのモジュールの各々は、図６を参照しながら上記で説明した対応するモジュールの機能を実行し得る。タイミングモジュール５１０−ｂは、測定ギャップモジュール７０５と、ＤＲＸモジュール７１０と、サブフレームタイミングモジュール７１５と、タイミング識別モジュール７２０とをも含み得る。
【００５４】
[0069]タイミングモジュール５１０−ｂの構成要素は、個別にまたは集合的に、ハードウェア中の本明細書で説明する適用可能な機能の一部または全部を実行するように適応された１つまたは複数のＡＳＩＣを用いて実装され得る。代替的に、それらの機能は、１つまたは複数の他の処理ユニット（またはコア）によって、１つまたは複数のＩＣ上で実行され得る。他の例では、当技術分野で知られている任意の様式でプログラムされ得る他のタイプの集積回路（たとえば、ストラクチャード／プラットフォームＡＳＩＣ、ＦＰＧＡ、または別のセミカスタムＩＣ）が使用され得る。各ユニットの機能はまた、全体的または部分的に、１つまたは複数の汎用または特定用途向けプロセッサによって実行されるようにフォーマットされた、メモリに組み込まれた命令を用いて実装され得る。
【００５５】
[0070]測定ギャップモジュール７０５は、第１のキャリアまたは第２のキャリア、あるいは両方上の測定ギャップを生成または認識するように構成され得る。いくつかの例では、タイミング調整モジュール６１０−ａは、測定ギャップモジュール７０５を用いて、対応する無線リソース構成の測定ギャップ構成に関して測定ギャップを拡張するように構成され得る。いくつかの例では、測定ギャップを拡張することは、ＵＥのための最小ギャップ長に基づき得る。追加または代替として、測定ギャップを拡張することは、第１のキャリア上の測定ギャップと第２のキャリア上の測定ギャップとが時間的に重複し、重複がＵＥのための少なくとも最小ギャップ長を与えるように、第１のキャリアまたは第２のキャリア上の測定ギャップを拡張することを含み得る。
【００５６】
[0071]ＤＲＸモジュール７１０は、第１のキャリアまたは第２のキャリア、あるいは両方のＤＲＸ動作を開始または認識するように構成され得る。いくつかの例では、タイミング調整モジュール６１０−ａは、ＤＲＸモジュール７１０を用いて、対応する無線リソース構成に関してアクティブＤＲＸ持続時間を拡張し得る。アクティブＤＲＸ持続時間を拡張することは、サブフレームの構成された数に関して第１のキャリアまたは第２のキャリア上のアクティブＤＲＸ持続時間中の受信に適応することを含み得る。追加または代替として、タイミング調整モジュール６１０−ａは、ＤＲＸモジュール７１０を用いて、ＲＦ再同調がそれの中で実行され得るサブフレームをオフセットし得る。ＲＦ再同調のタイミングをオフセットすることは、セルグループ中のアクティビティに基づき得る。サブフレームをオフセットすることは、キャリア上のアクティブＤＲＸ持続時間中の受信に適応することを含み得る。
【００５７】
[0072]サブフレームタイミングモジュール７１５は、第１のキャリアおよび第２のキャリアのサブフレームタイミングを決定するように構成され得る。たとえば、サブフレームタイミングモジュール７１５は、ＭＣＧまたはＳＣＧのキャリアを測定し、ＵＥ１１５によって受信されたキャリアのためのサブフレーム境界またはサブフレームタイミングの他の指示を決定するように構成され得る。
【００５８】
[0073]タイミング識別モジュール７２０は、受信機５０５−ａによって受信されたフレーム番号付けと測定されたサブフレームタイミングとに基づいて第１のキャリアと第２のキャリアとのタイミング差を識別するように構成され得る。
【００５９】
[0074]次に、図８に、ワイヤレス通信システム８００の図を示す。ワイヤレス通信システム８００は、図１〜図７を参照しながら説明したＵＥ１１５の一例であり得る、ＵＥ１１５−ｄを含み得る。ＵＥ１１５−ｄは、プロセッサモジュール８０５と、図５〜図７を参照しながら説明したタイミングモジュールの一例であり得るタイミングモジュール８１０と、（ソフトウェア（ＳＷ）８２０を含む）メモリ８１５と、同期識別モジュール８２５と、トランシーバモジュール８３５と、１つまたは複数のアンテナ８４０とを含み得る。ＵＥ１１５−ｄのモジュールの各々は、直接または間接的に、（たとえば、１つまたは複数のバス８４５を介して）互いに通信し得る。例では、ＵＥ１１５−ｄは、通信を送信するための構成要素と通信を受信するための構成要素とを含む、双方向ボイスおよびデータ通信のための構成要素を含む。
【００６０】
[0075]同期識別モジュール８２５は、第１のセルグループの第１のキャリアが第１のセルグループのキャリアと同期させられ得ることと、第２のセルグループの第２のキャリアが第２のセルグループのキャリアと同期させられ得ることとを認識するかまたは示すように構成され得る。
【００６１】
[0076]トランシーバモジュール８３５は、上記で説明したように、１つまたは複数のワイヤードまたはワイヤレスリンク上で（１つまたは複数の）アンテナ８４０を介して、１つまたは複数のネットワークと双方向に通信するように構成され得る。たとえば、トランシーバモジュール８３５は、デュアル接続性設定において基地局１０５−ｃ、１０５−ｄと双方向に通信するように構成され得る。トランシーバモジュール８３５は、プロセッサ８０５からのパケットを変調し、送信のために（１つまたは複数の）アンテナ８４０に被変調信号を配信し、（１つまたは複数の）アンテナ８４０からの受信された信号を復調するように構成されたモデムを含み得る。ＵＥ１１５−ｄは単一のアンテナ８４０を含み得るが、ＵＥ１１５−ｄはまた、複数のワイヤレス送信を同時に送信または受信することが可能な複数のアンテナ８４０を有し得る。
【００６２】
[0077]メモリ８１５は、ランダムアクセスメモリ（ＲＡＭ）または読取り専用メモリ（ＲＯＭ）を含み得る。メモリ８１５は、実行されるとプロセッサモジュール８０５に本明細書で説明する様々な機能（たとえば、タイミング差を自律的に決定すること、タイミングを調整すること、測定ギャップ長を報告することなど）を実行させるように構成された命令を含んでいるコンピュータ可読、コンピュータ実行可能ソフトウェア／ファームウェアコード８２０を記憶し得る。代替的に、ソフトウェア／ファームウェアコード８２０は、プロセッサモジュール８０５によって直接的に実行可能でないことがあるが、（たとえば、コンパイルされ実行されたとき）コンピュータに本明細書で説明する機能を実行させるように構成され得る。プロセッサモジュール８０５は、インテリジェントハードウェアデバイス（たとえば、中央処理ユニット（ＣＰＵ）、マイクロコントローラ、ＡＳＩＣなど）を含み得、ＲＡＭとＲＯＭとを含み得る。メモリ８１５は、実行されるとプロセッサモジュール８０５に本明細書で説明する様々な機能（たとえば、呼処理、データベース管理、キャリアモードインジケータの処理、ＣＳＩを報告することなど）を実行させるように構成された命令を含んでいるコンピュータ可読、コンピュータ実行可能ソフトウェア／ファームウェアコード８２０を記憶し得る。
【００６３】
[0078]タイミングモジュール８１０は、図５および図６のタイミングモジュール５１０に関して説明した同じまたは同様の機能を実行し得る。いくつかの例では、タイミングモジュール８１０は、図７において説明したサブモジュールの機能を含む、差決定モジュール６０５およびタイミング調整モジュール６１０の機能を実行するように構成される。ＵＥ１１５−ｄのアーキテクチャによれば、タイミングモジュール８１０は、バス８４５を介してＵＥ１１５−ｄの他の構成要素と通信している構成要素であり得る。代替的に、タイミングモジュール８１０の機能は、メモリ８１５に記憶され、プロセッサモジュール８０５によって実行可能なコンピュータ実行可能命令として、またはトランシーバモジュール８３５の一態様として実装され得る。
【００６４】
[0079]次に図９を参照すると、デュアル接続性ＵＥによる自律的タイミング調整のための方法を示すフローチャート９００が示されている。フローチャート９００の機能は、図１〜図８を参照しながら説明したようにＵＥ１１５またはそれの構成要素によって実装され得る。いくつかの例では、フローチャート９００のブロックは、図５〜図８を参照しながら説明したタイミングモジュールによって実行され得る。
【００６５】
[0080]ブロック９０５において、デュアル接続性において動作するＵＥ１１５は、第１のセルグループの第１のキャリアと第２のセルグループの第２のキャリアとの間のタイミング差を決定する。いくつかの例では、ブロック９０５の機能は、図６を参照しながら上記で説明したように差決定モジュール６０５によって実行され得る。
【００６６】
[0081]ブロック９１０において、ＵＥ１１５は、決定されたタイミング差に少なくとも部分的に基づいて、第１のキャリアまたは第２のキャリアの無線リソース構成に関して少なくとも１つの動作のタイミングを調整する。いくつかの例では、ブロック９１０の機能は、図６を参照しながら上記で説明したようにタイミング調整モジュール６１０によって実行され得る。
【００６７】
[0082]図１０に、デュアル接続性ＵＥによる自律的タイミング調整のための方法を示すフローチャート１０００を示す。フローチャート１０００の機能は、図１〜図８を参照しながら説明したようにＵＥ１１５またはそれの構成要素によって実装され得る。いくつかの例では、フローチャート１０００のブロックは、図５〜図８を参照しながら説明したタイミングモジュールによって実行され得る。フローチャート１０００において説明する方法は、図９において説明した方法の一例であり得る。
【００６８】
[0083]ブロック１００５において、ＵＥ１１５は、第１のセルグループの第１のキャリアと第２のセルグループの第２のキャリアとの間のタイミング差を決定する。いくつかの例では、ブロック１００５の機能は、図６を参照しながら上記で説明したように差決定モジュール６０５によって実行され得る。
【００６９】
[0084]ブロック１０１０において、ＵＥ１１５は、第１のキャリアまたは第２のキャリアのうちの少なくとも１つ上の測定ギャップを生成する。いくつかの例では、ブロック１０１０の機能は、図７を参照しながら上記で説明したように測定ギャップモジュール７０５によって実行され得る。
【００７０】
[0085]ブロック１０１５において、ＵＥ１１５は、対応する無線リソース構成の測定ギャップ構成に関して測定ギャップを拡張する。いくつかの例では、ブロック１０１５の機能は、図７を参照しながら上記で説明したように測定ギャップモジュール７０５によって実行され得る。
【００７１】
[0086]ブロック１０２０において、ＵＥ１１５は、基地局にギャップ長拡張を報告する。ギャップ長拡張は、決定されたタイミング差に基づき得、測定ギャップのために利用されるサブフレームの数を示し得る。いくつかの例では、ブロック１０２０の機能は、図５を参照しながら上記で説明したように送信機５１５によって実行され得る。
【００７２】
[0087]図１１に、デュアル接続性ＵＥによるタイミング調整のための方法を示すフローチャート１１００を示す。フローチャート１１００の機能は、図１〜図８を参照しながら説明したようにＵＥ１１５またはそれの構成要素によって実装され得る。いくつかの例では、フローチャート１１００のブロックは、図５〜図８を参照しながら説明したようにタイミングモジュールによって実行され得る。フローチャート１２００において説明する方法はまた、図９および図１０を参照しながら説明した方法の例であり得る。
【００７３】
[0088]ブロック１１０５において、ＵＥ１１５は、第１のセルグループの第１のキャリアと第２のセルグループの第２のキャリアとの間のタイミング差を決定する。いくつかの例では、ブロック１１０５の機能は、図６を参照しながら上記で説明したように差決定モジュール６０５によって実行され得る。
【００７４】
[0089]ブロック１１１０において、ＵＥ１１５は、決定されたタイミング差に少なくとも部分的に基づいて、第１のキャリアまたは第２のキャリア上のＤＲＸ動作のタイミングを調整する。いくつかの例では、ブロック１１１０の機能は、図６を参照しながら上記で説明したようにタイミング調整モジュール６１０によって実行され得る。
【００７５】
[0090]ブロック１１１５において、ＵＥ１１５は、対応する無線リソース構成に関してアクティブＤＲＸ持続時間を拡張する。いくつかの例では、ブロック１１１５の機能は、図７を参照しながら上記で説明したようにＤＲＸモジュール７１０によって実行され得る。
【００７６】
[0091]図１２に、デュアル接続性ＵＥによるタイミング調整のための方法を示すフローチャート１２００を示す。フローチャート１２００の機能は、図１〜図８を参照しながら説明したようにＵＥ１１５またはそれの構成要素によって実装され得る。いくつかの例では、フローチャート１２００のブロックは、図５〜図８を参照しながら説明したようにタイミングモジュールによって実行され得る。フローチャート１３００において説明する方法は、図９〜図１１を参照しながら説明した方法の例であり得る。
【００７７】
[0092]ブロック１２０５において、ＵＥ１１５は、第１のセルグループの第１のキャリアと第２のセルグループの第２のキャリアとの間のタイミング差を決定する。いくつかの例では、ブロック１２０５の機能は、図６を参照しながら上記で説明したように差決定モジュール６０５によって実行され得る。
【００７８】
[0093]ブロック１２１０において、ＵＥ１１５は、決定されたタイミング差に少なくとも部分的に基づいて、第１のキャリアまたは第２のキャリアの無線リソース構成に関して少なくとも１つの動作のタイミングを調整する。いくつかの例では、ブロック１２１０の機能は、図６を参照しながら上記で説明したようにタイミング調整モジュール６１０によって実行され得る。
【００７９】
[0094]ブロック１２１５において、ＵＥ１１５は、動作が第１のキャリア上のＤＲＸ動作を含むのか第２のキャリア上のＤＲＸ動作を含むのかを決定する。いくつかの例では、ブロック１２１５の機能は、図７を参照しながら上記で説明したようにＤＲＸモジュール７１０によって実行され得る。
【００８０】
[0095]ブロック１２２０において、ＵＥ１１５は、動作が第１のキャリアのＤＲＸ動作を備えると決定する。いくつかの例では、ブロック１２２０の機能は、図７を参照しながら上記で説明したようにＤＲＸモジュール７１０によって実行され得る。
【００８１】
[0096]ブロック１２２５において、ＵＥ１１５は、第２のセルグループ中のアクティビティに基づいてＲＦ再同調がそれの中で実行されるサブフレームをオフセットする。いくつかの例では、ブロック１２２５の機能は、図７を参照しながら上記で説明したようにＤＲＸモジュール７１０によって実行され得る。
【００８２】
[0097]ブロック１２３０において、ＵＥ１１５は、動作が第２のキャリアのＤＲＸ動作を備えると決定する。いくつかの例では、ブロック１２３０の機能は、図７を参照しながら上記で説明したようにＤＲＸモジュール７１０によって実行され得る。
【００８３】
[0098]ブロック１２３５において、ＵＥ１１５は、第１のセルグループ中のアクティビティに基づいてＲＦ再同調がそれの中で実行されるサブフレームをオフセットする。いくつかの例では、ブロック１２３５の機能は、図７を参照しながら上記で説明したようにＤＲＸモジュール７１０によって実行され得る。
【００８４】
[0099]図１３に、デュアル接続性ＵＥによるタイミング調整のための方法を示すフローチャート１３００を示す。フローチャート１３００の機能は、図１〜図８を参照しながら説明したようにＵＥ１１５またはそれの構成要素によって実装され得る。いくつかの例では、フローチャート１３００のブロックは、図５〜図８を参照しながら説明したようにタイミングモジュールによって実行され得る。フローチャート１３００において説明する方法はまた、図９〜図１４を参照しながら説明する方法の一例であり得る。
【００８５】
[0100]ブロック１３０５において、ＵＥ１１５は、デュアル接続性動作において第１のキャリアまたは第２のキャリアを介してフレーム番号付けを備えるブロードキャスト情報を受信する。いくつかの例では、ＵＥ１１５は、第１のキャリアのＳＦＮを有し得、第２のキャリアのためのサブフレーム情報を収集し得る（たとえば、それを測定し、ブロードキャスト情報を受信する、など）。いくつかの例では、ブロック１３０５の機能は、図５を参照しながら上記で説明したように受信機５０５によって実行され得る。
【００８６】
[0101]ブロック１３１０において、ＵＥ１１５は、第１のキャリアまたは第２のキャリアに関してサブフレームタイミングを測定し、決定する。いくつかの例では、ブロック１３１０の機能は、図７を参照しながら上記で説明したようにサブフレームタイミングモジュール７１５によって実行され得る。
【００８７】
[0102]ブロック１３１５において、ＵＥ１１５は、受信されたフレーム番号付けと測定されたサブフレームタイミングとに基づいてキャリア間のタイミング差を識別する。いくつかの例では、ブロック１３１５の機能は、図７を参照しながら上記で説明したようにタイミング識別モジュール７２０によって実行され得る。
【００８８】
[0103]ブロック１３２０において、ＵＥ１１５は、識別されたタイミング差に少なくとも部分的に基づいて、第１のキャリアまたは第２のキャリアの無線リソース構成に関して少なくとも１つの動作のタイミングを調整する。いくつかの例では、ブロック１３２０の機能は、図６を参照しながら上記で説明したようにタイミング調整モジュール６１０によって実行され得る。
【００８９】
[0104]図１４に、デュアル接続性ＵＥによる自律的タイミング調整のための方法を示すフローチャート１４００を示す。フローチャート１４００の機能は、図１〜図８を参照しながら説明したようにＵＥ１１５またはそれの構成要素によって実装され得る。いくつかの例では、フローチャート１４００のブロックは、図５〜図８を参照しながら説明したタイミングモジュールによって実行され得る。フローチャート１４００において説明する方法は、図９において説明した方法の一例であり得る。
【００９０】
[0105]ブロック１４０５において、ＵＥ１１５は、第１のセルグループの第１のキャリアと第２のセルグループの第２のキャリアとの間のタイミング差を決定する。いくつかの例では、ブロック１４０５の機能は、図６を参照しながら上記で説明したように差決定モジュール６０５によって実行され得る。
【００９１】
[0106]ブロック１４１０において、ＵＥ１１５は、第２のキャリアのための測定ギャップを実装する。いくつかの例では、ブロック１４１０の機能は、図７を参照しながら上記で説明したように測定ギャップモジュール７０５によって実行され得る。
【００９２】
[0107]ブロック１４１５において、ＵＥ１１５は、第１のキャリアのＲＲＣ測定ギャップ構成に関して第２のキャリアのための測定ギャップを調整する。いくつかの例では、ブロック１４１５の機能は、図７を参照しながら上記で説明したように測定ギャップモジュール７０５によって実行され得る。
【００９３】
[0108]フローチャート９００、１０００、１１００、１２００、１３００および１４００の方法は例示的な実装形態にすぎないこと、ならびに本方法の動作、およびステップは、他の実装形態が可能であるように、並べ替えられるかまたは場合によっては変更され得ることに留意されたい。
【００９４】
[0109]添付の図面に関して上記に記載した詳細な説明は、様々な例について説明しており、実装され得るまたは特許請求の範囲内に入る例のみを表すものではない。詳細な説明は、説明する技法の理解を与えるための具体的な詳細を含む。ただし、これらの技法は、これらの具体的な詳細なしに実施され得る。いくつかの事例では、説明した例の概念を不明瞭にすることを回避するために、よく知られている構造およびデバイスをブロック図の形式で示す。
【００９５】
[0110]本明細書で説明した技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語はしばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰ（登録商標）ロングタームエボリューション（ＬＴＥ）およびＬＴＥアドバンスト（ＬＴＥ−Ａ）は、Ｅ−ＵＴＲＡを使用するユニバーサルモバイルテレコミュニケーションズシステム（ＵＭＴＳ）の新しいリリースである。ＵＴＲＡ、Ｅ−ＵＴＲＡ、ＵＭＴＳ、ＬＴＥ、ＬＴＥ−Ａ、およびモバイル通信用グローバルシステム（ＧＳＭ）は、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明する技法は、上記のシステムおよび無線技術、ならびに他のシステムおよび無線技術のために使用され得る。ただし、上記の説明では、例としてＬＴＥシステムについて説明し、上記の説明の大部分においてＬＴＥ用語が使用されるが、本技法はＬＴＥ適用例以外に適用可能である。
【００９６】
[0111]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００９７】
[0112]本明細書の開示に関して説明した様々な例示的なブロックおよびモジュールは、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成としても実装され得る。
【００９８】
[0113]本明細書で説明した機能は、ハードウェア、プロセッサによって実行されるソフトウェア、ファームウェア、またはそれらの組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態は、本開示の範囲内および添付の特許請求の範囲内にある。たとえば、ソフトウェアの性質により、上記で説明した機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が異なる物理的ロケーションにおいて実装されるように分散されることを含めて、様々な位置に物理的に配置され得る。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【００９９】
[0114]コンピュータ可読媒体は、ある場所から別の場所へのコンピュータプログラムの転送を可能にする任意の非一時的媒体を含む、コンピュータ可読記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。本明細書で使用するディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれる。
【０１００】
[0115]本開示についての以上の説明は、当業者が本開示を作成または使用することができるように与えたものである。本開示への様々な修正は当業者には容易に明らかとなり、本明細書で定義した一般原理は、本開示の範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明した例および設計に限定されるべきでなく、本明細書で開示した原理および新規の特徴に一致する最も広い範囲を与えられるべきである。
以下に、本願出願の当初の特許請求の範囲に記載された発明を付記する。
［Ｃ１］
それぞれの第１のセルグループおよび第２のセルグループを備える、第１のネットワークノードおよび第２のネットワークノードとのデュアル接続性を有するユーザ機器（ＵＥ）によって実行されるワイヤレス通信の方法であって、前記方法が、
前記第１のセルグループの第１のキャリアと前記第２のセルグループの第２のキャリアとの間のタイミング差を決定することと、
前記タイミング差に少なくとも部分的に基づいて、前記第１のキャリアまたは前記第２のキャリアの無線リソース構成に関して少なくとも１つの動作のタイミングを調整することと
を備える、方法。
［Ｃ２］
前記タイミングを調整することが、前記タイミング差に従って決定されたサブフレームの数によって、前記無線リソース構成に関して前記少なくとも１つの動作をオフセットすることを備える、Ｃ１に記載の方法。
［Ｃ３］
前記少なくとも１つの動作が、前記第２のキャリア上の測定ギャップを実施することを備え、
前記タイミングを調整することが、前記第１のキャリアの測定ギャップ構成に関して前記第２のキャリア上の前記測定ギャップをオフセットすることを備える、Ｃ１に記載の方法。
［Ｃ４］
前記測定ギャップをオフセットすることが、前記ＵＥのための最小ギャップ長に少なくとも部分的に基づく、Ｃ３に記載の方法。
［Ｃ５］
前記測定ギャップをオフセットすることは、前記第２のキャリア上の前記測定ギャップと前記第１のキャリア上の測定ギャップとが時間的に重複し、前記重複が前記ＵＥの最小ギャップ長を備えるように、前記第２のキャリア上の前記測定ギャップを整合させることを備える、Ｃ３に記載の方法。
［Ｃ６］
前記調整することが前記ＵＥによって自律的に実行される、Ｃ１に記載の方法。
［Ｃ７］
前記第１のキャリアと前記第２のキャリアとの間の前記タイミング差を決定することが、
前記第１のキャリアおよび前記第２のキャリアのためのフレーム番号付けを備えるブロードキャスト情報を受信することと、
前記第１のキャリアおよび前記第２のキャリアのサブフレームタイミングを測定することと、
前記受信されたフレーム番号付けと前記測定されたサブフレームタイミングとに少なくとも部分的に基づいて前記タイミング差を識別することとを備える、Ｃ１に記載の方法。
［Ｃ８］
前記第１のキャリアのための測定ギャップ構成を備えるブロードキャスト情報を受信することをさらに備え、ここにおいて、前記少なくとも１つの動作の前記タイミングを調整することが、前記受信された測定ギャップ構成に少なくとも部分的に基づく、Ｃ１に記載の方法。
［Ｃ９］
前記第１のセルグループがマスタセルグループ（ＭＣＧ）を備え、前記第２のセルグループが２次セルグループ（ＳＣＧ）を備える、Ｃ１に記載の方法。
［Ｃ１０］
前記動作が、前記第１のキャリア上の間欠受信（ＤＲＸ）動作を備え、
前記タイミングを調整することは、前記ＤＲＸ動作に関して、無線周波数（ＲＦ）再同調がそれの中で実行されるサブフレームをオフセットすることを備える、Ｃ１に記載の方法。
［Ｃ１１］
それぞれの第１のセルグループおよび第２のセルグループを備える、第１のネットワークノードおよび第２のネットワークノードとのデュアル接続性ワイヤレス通信のために動作可能な装置であって、前記装置が、
少なくとも１つのプロセッサと、
命令を記憶し、前記少なくとも１つのプロセッサと電子通信しているメモリとを備え、前記命令が、前記少なくとも１つのプロセッサによって実行されたとき、前記装置に、
前記第１のセルグループの第１のキャリアと前記第２のセルグループの第２のキャリアとの間のタイミング差を決定することと、
前記タイミング差に少なくとも部分的に基づいて、前記第１のキャリアまたは前記第２のキャリアの無線リソース構成に関して少なくとも１つの動作のタイミングを調整することと
を行わせる、装置。
［Ｃ１２］
前記命令が、前記装置に、
前記タイミング差に従って決定されたサブフレームの数によって、前記無線リソース構成に関して前記少なくとも１つの動作をオフセットすることを行わせるように実行可能である、Ｃ１１に記載の装置。
［Ｃ１３］
前記少なくとも１つの動作が、前記第２のキャリア上の測定ギャップを実施することを備え、
前記命令が、前記装置に、前記第１のキャリアの測定ギャップ構成に関して前記第２のキャリア上の前記測定ギャップをオフセットすることを行わせるように実行可能である、Ｃ１１に記載の装置。
［Ｃ１４］
前記測定ギャップが、最小ギャップ長に少なくとも部分的に基づいてオフセットされる、Ｃ１３に記載の装置。
［Ｃ１５］
前記命令は、前記装置に、
前記第２のキャリア上の前記測定ギャップと前記第１のキャリア上の測定ギャップとが時間的に重複し、前記重複が最小ギャップ長を備えるように、前記第２のキャリア上の前記測定ギャップを整合させることを行わせるように実行可能である、Ｃ１３に記載の装置。
［Ｃ１６］
前記命令が、前記装置に、
前記第１のキャリアおよび前記第２のキャリアを介してフレーム番号付けを備えるブロードキャスト情報を受信することと、
前記第１のキャリアおよび前記第２のキャリアのサブフレームタイミングを測定することと、
前記受信されたフレーム番号付けと前記測定されたサブフレームタイミングとに基づいて前記タイミング差を識別することとを行わせるように実行可能である、Ｃ１１に記載の装置。
［Ｃ１７］
前記命令が、前記装置に、
前記第１のキャリアのための測定ギャップ構成を備えるブロードキャスト情報を受信することを行わせるように実行可能であり、ここにおいて、前記少なくとも１つの動作の前記タイミング調整が、前記受信された測定ギャップ構成に少なくとも部分的に基づく、Ｃ１１に記載の装置。
［Ｃ１８］
前記第１のセルグループがマスタセルグループ（ＭＣＧ）を備え、前記第２のセルグループが２次セルグループ（ＳＣＧ）を備える、Ｃ１１に記載の装置。
［Ｃ１９］
前記動作が、前記第１のキャリア上の間欠受信（ＤＲＸ）動作を備え、
ここにおいて、前記命令は、前記装置に、前記ＤＲＸ動作に関して、無線周波数（ＲＦ）再同調がそれの中で実行されるサブフレームをオフセットすることを行わせるように実行可能である、Ｃ１１に記載の装置。
［Ｃ２０］
それぞれの第１のセルグループおよび第２のセルグループを備える、第１のネットワークノードおよび第２のネットワークノードとのデュアル接続性ワイヤレス通信のために動作可能な装置であって、前記装置が、
前記第１のセルグループの第１のキャリアと前記第２のセルグループの第２のキャリアとの間のタイミング差を決定するための手段と、
前記タイミング差に少なくとも部分的に基づいて、前記第１のキャリアまたは前記第２のキャリアの無線リソース構成に関して少なくとも１つの動作のタイミングを調整するための手段と
を備える、装置。
［Ｃ２１］
前記タイミングを調整するための前記手段が、
前記タイミング差に従って決定されたサブフレームの数によって、前記無線リソース構成に関して前記少なくとも１つの動作をオフセットするための手段をさらに備える、Ｃ２０に記載の装置。
［Ｃ２２］
前記少なくとも１つの動作が、前記第２のキャリア上の測定ギャップを実施することを備え、ここにおいて、前記タイミングを調整するための前記手段が、
前記第１のキャリアの測定ギャップ構成に関して前記第２のキャリア上の前記測定ギャップをオフセットするための手段を備える、Ｃ２０に記載の装置。
［Ｃ２３］
前記測定ギャップが、最小ギャップ長に少なくとも部分的に基づいてオフセットされる、Ｃ２２に記載の装置。
［Ｃ２４］
前記タイミングを調整するための前記手段は、
前記第２のキャリア上の前記測定ギャップと前記第１のキャリア上の測定ギャップとが時間的に重複し、前記重複が最小ギャップ長を備えるように、前記第２のキャリア上の前記測定ギャップを整合させるための手段をさらに備える、をさらに備える、Ｃ２２に記載の装置。
［Ｃ２５］
前記タイミング調整が前記装置によって自律的に実行される、Ｃ２０に記載の装置。
［Ｃ２６］
前記第１のキャリアと前記第２のキャリアとの間の前記タイミング差を決定するための前記手段が、
前記第１のキャリアおよび前記第２のキャリアのためのフレーム番号付けを備えるブロードキャスト情報を受信するための手段と、
前記第１のキャリアおよび前記第２のキャリアのサブフレームタイミングを測定するための手段と、
前記受信されたフレーム番号付けと前記測定されたサブフレームタイミングとに基づいて前記タイミング差を識別するための手段とをさらに備える、Ｃ２０に記載の装置。
［Ｃ２７］
前記第１のキャリアと前記第２のキャリアとの間の前記タイミング差を決定するための前記手段が、
前記第１のキャリアのための測定ギャップ構成を備えるブロードキャスト情報を受信するための手段をさらに備え、ここにおいて、前記少なくとも１つの動作の前記タイミングを調整するための前記手段が、前記受信された測定ギャップ構成に基づいて前記タイミングを調整するように動作可能である、Ｃ２０に記載の装置。
［Ｃ２８］
前記第１のセルグループがマスタセルグループ（ＭＣＧ）を備え、前記第２のセルグループが２次セルグループ（ＳＣＧ）を備える、Ｃ２０に記載の装置。
［Ｃ２９］
前記動作が、前記第１のキャリア上の間欠受信（ＤＲＸ）動作を備え、
前記タイミングを調整するための前記手段は、前記ＤＲＸ動作に関して、無線周波数（ＲＦ）再同調がそれの中で実行されるサブフレームをオフセットするための手段を備える、Ｃ２０に記載の装置。
［Ｃ３０］
それぞれの第１のセルグループおよび第２のセルグループを備える、第１のネットワークノードおよび第２のネットワークノードとのデュアル接続性を有するユーザ機器（ＵＥ）によって実行されるワイヤレス通信をサポートするコードを記憶する非一時的コンピュータ可読媒体であって、前記コードが、
前記第１のセルグループの第１のキャリアと前記第２のセルグループの第２のキャリアとの間のタイミング差を決定することと、
前記タイミング差に少なくとも部分的に基づいて、前記第１のキャリアまたは前記第２のキャリアの無線リソース構成に関して少なくとも１つの動作のタイミングを調整することと
を行うように実行可能な命令を備える、非一時的コンピュータ可読媒体。
【図１】
0006585080.tif 000002
【図２】
0006585080.tif 000003
【図３Ａ】
0006585080.tif 000004
【図３Ｂ】
0006585080.tif 000005
【図３Ｃ】
0006585080.tif 000006
【図４Ａ】
0006585080.tif 000007
【図４Ｂ】
0006585080.tif 000008
【図４Ｃ】
0006585080.tif 000009
【図５】
0006585080.tif 000010
【図６】
0006585080.tif 000011
【図７】
0006585080.tif 000012
【図８】
0006585080.tif 000013
【図９】
0006585080.tif 000014
【図１０】
0006585080.tif 000015
【図１１】
0006585080.tif 000016
【図１２】
0006585080.tif 000017
【図１３】
0006585080.tif 000018
【図１４】
0006585080.tif 000019